(57)【要約】【課題】配達物が受取人に配達されたことを確実に証明する。【解決手段】配達物に付与された配送物ＩＤを読み取るバーコードリーダー部１１と、配達記録用端末１０の位置情報を取得するＧＰＳ受信部１２と、バーコードリーダー部１１にて読み取られた配送物ＩＤとＧＰＳ受信部１２にて取得された位置情報が記載されるとともに受領印を押下するための受領印押下領域が設けられた配達証を発行するプリンター部１３と、バーコードリーダー部１１にて読み取られた識別情報と配達証に記載された位置情報とを対応づけて記憶するメモリ部１６とを有する。【選択図】図１
2009067498.tif 000002
【特許請求の範囲】
【請求項１】
配達物が受取人に配達されたことを記録する配達記録用端末であって、
前記配達物に付与された識別情報を読み取る読取手段と、
前記配達記録用端末の位置情報を取得する位置取得手段と、
前記読取手段にて読み取られた識別情報と前記位置取得手段にて取得された位置情報とが記載されるとともに受領印を押下するための受領印押下領域が設けられた配達証を発行する発行手段と、
前記読取手段にて読み取られた識別情報と前記配達証に記載された位置情報とを対応づけて記憶する記憶手段とを有する配達記録用端末。
【発明の詳細な説明】
【技術分野】
【０００１】
本発明は、配達記録郵便等の配達物が受取人に配達されたことを記録するための配達記録用端末に関する。
【背景技術】
【０００２】
従来より、重要な配達物を発送する場合等において、配達物が受取人に配達されたことを証明できる配達記録郵便が利用されている。このような配達記録郵便においては、受取人の住所や氏名等が記載されるとともに、受取人の受取印を押下するための領域が設けられた配達証が配達物に貼付され、配達物が受取人にて受け取られると、配達証に受取印が押下され、その後、この配達証が配達物から剥離されて配達人によって持ち帰られる。これにより、配達物が間違いなく受取人に配達されたことを証明可能としている。
【０００３】
ところが、配達物の配達を証明するために配達証を用いる場合、配達証を配達物に貼付する作業が生じ、配達物の数が多い場合、その作業によって配達物の配達処理が遅延してしまう虞れがある。
【０００４】
ここで、配達物が受取人に届けられたことを証明可能とするために、上述したように配達物に貼付された配達証に受取印を押下するのではなく、受領印や受領サインを電子データとして取得する技術が考えられている（例えば、特許文献１参照。）。
【０００５】
このように受領印や受領サインを電子データとして取得することにより配達物の配達を証明すれば、配達証を配達物に貼付する作業が不要となり、配達物の数が多い場合であっても配達証を配達物に貼付する作業によって配達物の配達処理が遅延してしまうことがなくなる。
【特許文献１】特開２０００−１３７７４９号公報
【発明の開示】
【発明が解決しようとする課題】
【０００６】
上述したように受領印や受領サインを電子データとして取得することによって配達物が受取人に配達されたことを証明する場合、配達証を配達物に貼付する作業が不要となるものの、受領印や受領サインの有無のみによってその配達証明が行われることになるため、配達物が受取人に配達されたことを確実に証明できるとは言い難い。例えば、配達物の受取人と同姓の人物によって配達物が受け取られて受領印が押下された場合や、配達人等の第三者が受取人になりすまして受領サインをした場合、配達物が正規の受取人に受け取られていないにも関わらず、配達物が受取人に配達されたことになってしまう。
【０００７】
本発明は、上述したような従来の技術が有する問題点に鑑みてなされたものであって、配達物が受取人に配達されたことを確実に証明することができる配達記録用端末を提供することを目的とする。
【課題を解決するための手段】
【０００８】
上記目的を達成するために本発明は、
配達物が受取人に配達されたことを記録する配達記録用端末であって、
前記配達物に付与された識別情報を読み取る読取手段と、
前記配達記録用端末の位置情報を取得する位置取得手段と、
前記読取手段にて読み取られた識別情報と前記位置取得手段にて取得された位置情報とが記載されるとともに受領印を押下するための受領印押下領域が設けられた配達証を発行する発行手段と、
前記読取手段にて読み取られた識別情報と前記配達証に記載された位置情報とを対応づけて記憶する記憶手段とを有する。
【０００９】
上記のように構成された本発明においては、配達物が受取人に配達され、配達物に付与された識別情報が読取手段によって読み取られると、読み取られた識別情報と、位置取得手段にて取得された配達記録用端末の位置情報とが記載されるとともに受領印を押下するための受領印押下領域が設けられた配達証が発行手段から発行される。また、記憶手段においては、読取手段にて読み取られた識別情報と配達証に記載された位置情報とが対応づけて記憶される。その後、発行手段から発行された配達証の受領印押下領域に受領印が押下され、配達証が配達人によって持ち帰られる。配達人によって持ち帰られた配達証には、配達物に付与された識別情報と、配達証が発行された時点での配達記録用端末の位置情報が記載されているとともに、受領印押下領域に受取人の受領印が押下されており、また、記憶手段には、配達物に付与された識別情報と、配達証が発行された時点での配達記録用端末の位置情報とが対応づけて記憶されているため、これらの情報を用いて、配達物が受取人に配達されたことが証明される。
【発明の効果】
【００１０】
以上説明したように本発明においては、配達物に付与された識別情報を読み取る読取手段と、配達記録用端末の位置情報を取得する位置取得手段と、読取手段にて読み取られた識別情報と位置取得手段にて取得された位置情報が記載されるとともに受領印を押下するための受領印押下領域が設けられた配達証を発行する発行手段と、読取手段にて読み取られた識別情報と配達証に記載された位置情報とを対応づけて記憶する記憶手段とを有する構成としたため、配達物が受取人に配達された時に、配達物の受取人が受領印を押下するための配達証が発行され、また、この配達証が発行された時点での配達記録用端末の位置情報、すなわち、配達物が受け取られた位置を示す位置情報が記録されることになり、それにより、配達物が受取人に配達されたことを確実に証明することができる。
【発明を実施するための最良の形態】
【００１１】
以下に、本発明の実施の形態について図面を参照して説明する。
【００１２】
図１は、本発明の配達記録用端末の実施の一形態を示す図である。
【００１３】
本形態は図１に示すように、バーコード表現された情報を読み取り、その情報を認識する読取手段であるバーコードリーダー部１１と、ＧＰＳ衛星からの電波をアンテナ１９を介して受信することにより、配達記録用端末１０の現在の位置情報を取得する位置取得手段であるＧＰＳ受信部１２及びアンテナ１９と、感熱紙に対して情報を印字する発行手段であるプリンター部１３と、液晶ディスプレイ等からなる表示部１４と、キーボタン等からなる操作部１５と、記憶手段であるメモリ部１６と、外部とのインターフェースを司るインターフェース部１７と、制御部１８とから構成されている。
【００１４】
プリンター部１３は、操作部１５を介した操作に従って、バーコードリーダー部１１にて読み取られて認識された情報と、ＧＰＳ受信部１２にて取得された配達記録用端末１０の位置情報と、現在の日時とが記載されるとともに、受領印を押下するための受領印押下領域が設けられた配達証を発行したり、バーコードリーダー部１１にて読み取られて認識された情報と、現在の日時とが記載されるとともに、配達物の配達情報を問い合わせるためのアクセス情報が二次元コードで表現されて記載された不在票を発行したりする。
【００１５】
表示部１４は、操作部１５を介して入力された情報や、バーコードリーダー部１１にて読み取られて認識された情報や、ＧＰＳ受信部１２にて取得された配達記録用端末１０の位置情報等を表示する。
【００１６】
操作部１５は、数字やアルファベット等のキーボタンや、プリンター部１３から配達証を発行するのか不在票を発行するのかを指定するファンクションボタン等からなる。
【００１７】
メモリ部１６は、制御部１８の制御によって、バーコードリーダー部１１にて読み取られて認識された情報と、ＧＰＳ受信部１２にて取得され、配達証に記載された配達記録用端末１０の位置情報と、現在の日時と、配達の処理内容とを対応づけて配達記録として記憶する。
【００１８】
インターフェース部１７は、メモリ部１６に記憶された情報を外部の装置に転送する場合にその装置とのインターフェースを司る。
【００１９】
以下に、上記のように構成された配達記録用端末１０を用いた配達記録処理について説明する。
【００２０】
図２は、図１に示した配達記録用端末１０を用いた配達システムの一例を示す図である。また、図３は、図２に示した配達システムを用いて配達情報が管理される配達物の一例を示す図である。
【００２１】
本例における配達システムは図２に示すように、図１に示した配達記録用端末１０と、配達記録用端末１０が位置情報を取得するためのＧＰＳ衛星２０と、配達記録用端末１０に接続可能に構成され、配達記録用端末１０に記憶された配達記録を取得する配達記録取得端末３０と、図３に示したような配達物について、配達物の宛先情報や配達の依頼人情報、依頼日等の配達情報が登録された配達情報データベース５０に配達記録取得端末３０にて取得された配達記録を登録する配達情報管理サーバ４０と、通信回線７０に接続され、配達情報データベース５０を参照して配達情報の問い合わせに応じるための配達情報問い合わせサーバ６０とから構成されている。
【００２２】
また、本例における配達物は図３に示すように、配達物１の配達先の住所や氏名等の宛先情報２が記載されているとともに、配達物１を管理するために配達物１を識別可能な識別情報となる配達物ＩＤ３ｂ及びこれをバーコード表現したバーコード情報３ａが記載されている。
【００２３】
図４は、図１及び図２に示した配達システムにおける配達記録用端末１０を用いた配達記録処理を説明するためのフローチャートである。
【００２４】
配達記録用端末１０のＧＰＳ受信部１２においては、ＧＰＳ衛星２０からの電波がアンテナ１９を介して受信され、配達記録用端末１０の現在の位置情報が取得されている（ステップＳ１）。
【００２５】
図３に示した配達物１が受取人に配達されると、まず、配達記録用端末１０の操作部１５に対して配達物１が配達済となったことが指定される（ステップＳ２）。
【００２６】
次に、配達物１のバーコード情報３ａに配達記録用端末１０のバーコードリーダー部１１を翳すと、バーコードリーダー部１１ｂにてバーコード情報３ａが読み取られ、配達物ＩＤ３ｂが認識される（ステップＳ３）。
【００２７】
次に、配達記録用端末１０のプリンター部１３において、バーコードリーダー部１１にて読み取られて認識された配達物ＩＤ３ｂと、ＧＰＳ受信部１２にて取得された配達記録用端末１０の現在の位置情報と、現在の日時とが記載されるとともに、受領印を押下するための受領印押下領域が設けられた配達証が発行される（ステップＳ４）。
【００２８】
図５は、図１に示した配達記録用端末１０のプリンター部１３から発行される配達証の一例を示す図である。
【００２９】
図５に示すように、図１に示した配達記録用端末１０のプリンター部１３から発行される配達証１０１には、上述したように、バーコードリーダー部１１にて読み取られて認識された配達物ＩＤ１０２と、配達物１が受取人に配達されて配達証１０１が発行された日時となる配達日時１０３と、ＧＰＳ受信部１２にて取得された配達記録用端末１０の現在の位置情報１０４とが記載されるとともに、受領印を押下するための受領印押下領域１０５が設けられている。なお、位置情報１０４は、配達記録用端末１０の現在の位置を示すものであって、緯度と経度とを用いて表現されている。
【００３０】
そして、プリンター部１３から発行された配達証１０１の受領印押下領域１０５に受領印が押下され、配達証１０１は配達人によって持ち帰られる。
【００３１】
このように、配達物１が受取人に配達された際に、受領印を押下するための受領印押下領域１０５が設けられた配達証１０１が発行され、この配達証１０１の受領印押下領域１０５に受領印が押下されることになるため、配達証１０１を配達物１に貼付しておく必要がなくなる。
【００３２】
また、制御部１８の制御によって、バーコードリーダー部１１にて読み取られて認識された配達物ＩＤ３ｂと、ＧＰＳ受信部１２にて取得され、配達証に記載された配達記録用端末１０の位置情報１０４と、現在の日時である配達日時１０３とが配達情報としてメモリ部１６に記憶される（ステップＳ５）。なお、この配達記録には、配達処理内容として、配達物が配達済である旨が付与される。
【００３３】
また、図３に示した配達物１の受取人が不在であった場合は、まず、配達記録用端末１０の操作部１５に対して配達物１の受取人が不在であったことが指定される（ステップＳ６）。
【００３４】
次に、配達物１のバーコード情報３ａに配達記録用端末１０のバーコードリーダー部１１を翳すと、バーコードリーダー部１１ｂにてバーコード情報３ａが読み取られ、配達物ＩＤ３ｂが認識される（ステップＳ７）。
【００３５】
次に、配達記録用端末１０のプリンター部１３において、バーコードリーダー部１１にて読み取られて認識された配達物ＩＤ３ｂと、現在の日時とが記載されるとともに、配達物１の配達情報を問い合わせるためのアクセス情報が二次元コードで表現されて記載された不在票が発行される（ステップＳ８）。
【００３６】
図６は、図１に示した配達記録用端末１０のプリンター部１３から発行される不在票の一例を示す図である。
【００３７】
図６に示すように、図１に示した配達記録用端末１０のプリンター部１３から発行される不在票２０１には、上述したように、バーコードリーダー部１１にて読み取られて認識された配達物ＩＤ２０２と、配達物１を配達する配達人が配達先に訪問して不在票２０１が発行された日時となる訪問日時２０３とが記載されているとともに、配達物１の配達情報を問い合わせるためのアクセス情報２０４が二次元コードで表現されて記載されている。このアクセス情報２０４によって問い合わせる配達情報とは、配達物１の受取人が不在票２０１を見て、誰から誰宛ての配達物でいつ配達されたものから知るものであって、詳細は後述する。
【００３８】
配達記録用端末１０のプリンター部１３から発行された不在票２０１は、配達先の郵便受け等に投函され、その後、配達物１の受取人がこの不在票２０１を見て自分宛ての配達物１があることを認識することになる。この際、不在票２０１に印字される情報はプリンター部１３にて印字出力されるため、配達物１の配達人が不在票２０１に情報を記入する手間が省けるとともに、手書きによる読みにくさが生じることがない。
【００３９】
また、制御部１８の制御によって、バーコードリーダー部１１にて読み取られて認識された配達物ＩＤ３ｂと、現在の日時である訪問日時２０３とが配達記録としてメモリ部１６に記憶される（ステップＳ９）。なお、この配達記録には、配達処理内容として、配達物の受取人が不在であった旨が付与される。
【００４０】
また、図３に示した宛先情報２で示される住所に宛先情報２で示される氏名の受取人が住んでいない場合は、まず、配達記録用端末１０の操作部１５に対して配達物１の受取人が転居したことが指定される（ステップＳ１０）。
【００４１】
次に、配達物１のバーコード情報３ａに配達記録用端末１０のバーコードリーダー部１１を翳すと、バーコードリーダー部１１ｂにてバーコード情報３ａが読み取られ、配達物ＩＤ３ｂが認識される（ステップＳ１１）。
【００４２】
その後、制御部１８の制御によって、バーコードリーダー部１１にて読み取られて認識された配達物ＩＤ３ｂと、現在の日時である訪問日時２０３とが配達記録としてメモリ部１６に記憶される（ステップＳ１２）。なお、この配達記録には、配達処理内容として、配達物の受取人が転居した旨が付与される。
【００４３】
図７は、図１に示した配達記録用端末１０のメモリ部１６に記憶された情報を示す図である。
【００４４】
上述した一連の処理によって、図１に示した配達記録用端末１０のメモリ部１６には、図７に示すように、配達物ＩＤのそれぞれに対応づけて、配達物が受取人に配達された日時あるいは配達人が配達先に訪問した日時と、配達済、不在あるいは転居といった配達処理内容と、その処理を行った際の配達記録用端末１０の位置情報とが記録される。
【００４５】
このようにして、図３に示したような配達物１が受取人に配達されるとともに、その配達記録が配達記録用端末１０のメモリ部１６に記憶されることになる。
【００４６】
以下に、配達物１の配達情報の管理方法について説明する。
【００４７】
図８は、図２に示した配達システムにて配達物の配達情報の管理方法を説明するためのフローチャートである。
【００４８】
まず、配達記録取得端末３０が図１に示した配達記録用端末１０のインターフェース部１７に接続され、配達記録取得端末３０において、メモリ部１６に記録された配達情報が取得される（ステップＳ２１）。
【００４９】
配達記録取得端末３０にて取得された配達情報は、配達情報管理サーバ４０に転送され、配達情報管理サーバ４０において、配達記録取得端末３０から取得された配達情報のそれぞれについて、配達物が配達済であるものなのか、配達物の受取人が不在であったものなのか、配達物の受取人が転居したものなのかが判断される（ステップＳ２２）。
【００５０】
配達物が配達済である場合は、まず、配達物の配達人が持ち帰った配達証が確認され（ステップＳ２３）、受領印押下領域１０５に受領印が押下されており、かつ、配達物ＩＤによって識別される配達物の宛先情報による住所が、配達証に印字された位置情報１０４による緯度及び経度上のものである場合、配達情報管理サーバ４０において、配達情報データベース５０に登録された配達物の配達情報に、配達物が配達済である旨が配達処理内容として付加され、その配達日時が登録される（ステップＳ２４）。なお、配達情報データベース５０には、配達物の配達が依頼された際に、配達物の宛先情報や配達の依頼人情報、依頼日等が配達物ＩＤと対応づけて登録されているため、配達物の住所と配達証に印字された位置情報１０４とを照合することができる。そして、配達情報データベース５０に登録された情報に、配達処理内容と配達日時が付加されることになる。
【００５１】
また、配達物の受取人が不在であった場合は、配達情報管理サーバ４０において、その配達物について、配達情報データベース５０に登録された配達物の配達情報に、配達物の受取人が不在である旨が配達処理内容として付加され、その訪問日時が登録される（ステップＳ２５）。
【００５２】
また、配達物の受取人が転居していた場合は、その配達物について、配達情報管理サーバ４０において、配達情報データベース５０に登録された配達物の配達情報に、配達物の受取人が転居していた旨が配達処理内容として付加され、その訪問日時が登録される（ステップＳ２６）。
【００５３】
図９は、図２に示した配達システムにて不在票が投函されていた場合に配達物の配達情報を問い合わせる際の処理を説明するためのフローチャートである。
【００５４】
図２に示した配達システムにて図６に示したような不在票が投函されていた場合に配達物の配達情報を問い合わせるためには、通信回線７０を介して配達情報問い合わせサーバ６０にアクセス可能であって、かつ、二次元コードで表現されたアクセス情報２０４を読み取り可能な携帯電話が用いられる。
【００５５】
携帯電話にてアクセス情報２０４が読み取られると（ステップＳ３１）、読み取られたアクセス情報２０４に従って配達情報問い合わせサーバ６０に対してアクセスが行われ、配達情報問い合わせサーバ６０において、アクセス情報２０４にて指定された配達物の配達情報が配達情報データベース５０から検索される（ステップＳ３２）。なお、不在票２０１に記載されたアクセス情報２０４には、配達情報問い合わせサーバ６０にアクセスするための情報とともに、その配達物の配達物ＩＤが含まれているため、アクセス情報２０４を携帯電話で読み取ることにより、その配達物の配達情報を検索することができる。
【００５６】
そして、配達情報データベース５０から検索された配達情報が配達情報問い合わせサーバ６０から送信され（ステップＳ３３）、通信回線７０を介して携帯電話にて受信、表示される（ステップＳ３４）。携帯電話にて受信、表示された配達情報には、配達物の受取人の氏名や配達物の依頼人情報や、不在票に印字された訪問日時と、連絡先電話番号が含まれており、配達物の受取人は携帯電話に表示された配達情報を確認した後、連絡先電話番号に電話をして再配達を依頼することになる。
【００５７】
なお、本形態においては、ＧＰＳ受信部１２が、配達記録用端末１０の現在の位置情報を配達情報として取得するためのものであるが、配達先に関する情報をデータベースとして管理しておき、ＧＰＳ受信部１２にて取得された配達記録用端末１０の現在の位置に応じて、その情報を配達記録用端末１０に表示することも考えられる。例えば、日中は必ず自宅ではなく決まった家にいる人や、最近土地を分筆して新たな住所となり、その住所が住宅地図にも記載されていない家や、アパートやマンションに等の集合住宅において宛名表示をしていない家等について、配達物をどこに配達すればよいかという、地図のみでは判断できない情報を、配達記録用端末１０の現在の位置に応じて提供することも考えられる。
【図面の簡単な説明】
【００５８】
【図１】本発明の配達記録用端末の実施の一形態を示す図である。
【図２】図１に示した配達記録用端末を用いた配達システムの一例を示す図である。
【図３】図２に示した配達システムを用いて配達状況が管理される配達物の一例を示す図である。
【図４】図１及び図２に示した配達システムにおける配達記録用端末を用いた配達記録処理を説明するためのフローチャートである。
【図５】図１に示した配達記録用端末のプリンター部から発行される配達証の一例を示す図である。
【図６】図１に示した配達記録用端末のプリンター部から発行される不在票の一例を示す図である。
【図７】図１に示した配達記録用端末のメモリ部に記憶された情報を示す図である。
【図８】図２に示した配達システムにて配達物の配達情報の管理方法を説明するためのフローチャートである。
【図９】図２に示した配達システムにて不在票が投函されていた場合に配達物の配達情報を問い合わせる際の処理を説明するためのフローチャートである。
【符号の説明】
【００５９】
１    配達物
２    宛先情報
３ａ    バーコード情報
３ｂ，１０２，２０２    配達物ＩＤ
１０    配達記録用端末
１１    バーコードリーダー部
１２    ＧＰＳ受信部
１３    プリンター部
１４    表示部
１５    操作部
１６    メモリ部
１７    インターフェース部
１８    制御部
１９    アンテナ
２０    ＧＰＳ衛星
３０    配達記録取得端末
４０    配達情報管理サーバ
５０    配達情報データベース
６０    配達情報問い合わせサーバ
７０    通信回線
１０１    配達証
１０３    配達日時
１０４    位置情報
１０５    受領印押下領域
２０１    不在票
２０３    訪問日時
２０４    アクセス情報
【図１】
2009067498.tif 000003
【図２】
2009067498.tif 000004
【図３】
2009067498.tif 000005
【図４】
2009067498.tif 000006
【図５】
2009067498.tif 000007
【図６】
2009067498.tif 000008
【図７】
2009067498.tif 000009
【図８】
2009067498.tif 000010
【図９】
2009067498.tif 000011